【事件の表示】
　平成　８年特許願第　２９７３５号「玉回収システム」拒絶査定不服審判事件〔平成　９年　８月２６日出願公開、特開平　９−２２０３４６〕について、次のとおり審決する。
【結　論】
　本件審判の請求は、成り立たない。
【理　由】
１．手続の経緯
　本願は、平成８年２月１６日の出願であって、平成１９年４月１９日付けで拒絶理由が通知されたのに対して平成１９年６月２５日付けで手続補正がなされ、平成１９年７月２３日付けで最後の拒絶理由が通知されたのに対して平成１９年１０月１日付けで手続補正がなされた。
　そして、平成１９年１１月２８日付けで平成１９年１０月１日付けの手続補正が却下されるとともに、同日付け（発送：１２月４日）で拒絶査定され、これに対し、同年１２月２７日に拒絶査定不服審判の請求がなされ、平成２０年１月２４日付けで手続補正がなされたものである。
　
　
２．平成２０年１月２４日付けの手続補正についての補正却下の決定
［補正却下の決定の結論］
　平成２０年１月２４日付けの手続補正を却下する。
　
［理由］
　（１）補正の内容
　平成２０年１月２４日付けの手続補正（以下、「本件補正」という。）により、特許請求の範囲は、
「【請求項１】　列設された複数のパチンコ機を備えるパチンコ島台にて使用されるパチンコ玉を貯留する貯留タンクと、外部から受け入れたパチンコ玉を転動させて前記貯留タンクに導く回収経路と、を備えたことにより、パチンコ玉を前記貯留タンクに回収する玉回収システムにおいて、
　前記回収経路には、該回収経路上を転動されるパチンコ玉の一部を、当該回収経路から脱落させる玉抜き口を複数形成し、更に、
　前記回収経路の下方に設置され、前記玉抜き口から脱落したパチンコ玉を貯留するサブタンクを備え、
　前記サブタンクは、該サブタンク内の下方にて該サブタンクに貯留されるパチンコ玉を支えると共に、前記貯留タンクに近い側ほど低くなるように傾斜された支持面を備え、
　前記回収経路は、前記貯留タンクに近い側ほど低くなるように傾斜されており、
　前記サブタンクに貯留されたパチンコ玉を、前記回収経路まで運搬する運搬手段
　を更に備え、
　前記運搬手段が、
　前記サブタンクに穿設された穴であって、前記支持面によって前記貯留タンク方向へ誘導されたパチンコ玉を当該サブタンクの外部へ流出させる流出口と、
　該流出口から流出したパチンコ玉を少なくとも、前記回収経路上において、前記玉抜き口よりも下流側の位置まで、上昇させる揚送機と、
　該揚送機によって上昇されたパチンコ玉を、前記回収経路上において、前記玉抜き口よりも下流側の位置に誘導する誘導経路と、
　を備え、
　前記誘導経路は、
　前記揚送機の排出口から流れ出たパチンコ玉を受け止める受け板と、
　該受け板により受け止められたパチンコ玉を前記回収経路に向かって転動させる玉通路とから構成される
　ことを特徴とする玉回収システム。
　【請求項２】　請求項１に記載の玉回収システムにおいて、
　前記回収経路への合流点を有する箱玉通路と、前記受け板と、前記玉通路とが合流箱として一体的に構成されている
　ことを特徴とする玉回収システム。
　【請求項３】　請求項１または請求項２に記載の玉回収システムにおいて、
　前記貯留タンクに貯留されたパチンコ玉の量を検出する玉量センサと、
　前記回収経路上において、前記玉抜き口よりも下流側に位置され、外部の指令に応じて開閉し、閉じたときには、外部からパチンコ玉を受け入れてその数を計数する計数器から前記貯留タンクに向かって当該回収経路上を転動されるパチンコ玉の流れを遮断する開閉手段と、
　前記玉量センサによって検知されたパチンコ玉の量が、所定量よりも多いと判定すると、前記開閉手段を閉じさせるための指令を発する制御手段と、
　を更に備えたことを特徴とする玉回収システム。」
　に補正された。
　
　本件補正は、実質的に補正前（平成１９年６月２５日付け手続補正による補正）の請求項１を削除し、補正前の請求項２に、「前記誘導経路は、前記揚送機の排出口から流れ出たパチンコ玉を受け止める受け板と、該受け板により受け止められたパチンコ玉を前記回収経路に向かって転動させる玉通路とから構成される」という技術事項を加えて新たな請求項１とし、また、補正前の請求項３における「計数機」について「外部からパチンコ玉を受け入れてその数を計数する」という事項を加えて新たな請求項３としたものであって、この限りにおいては、当該補正は特許請求の範囲の減縮を目的とするものに該当するといえる。
　一方、補正された請求項２については、補正前のいずれの請求項とも対応しておらず、この補正は、特許請求の範囲の減縮、誤記の訂正、明りようでない記載の釈明のいずれを目的とするものでもない。
　したがって、本件補正は、平成１８年法律第５５号改正附則第３条第１項によりなお従前の例によるとされる同法による改正前の特許法第１７条の２第４項の規定に違反するので、特許法第１５９条第１項の規定において読み替えて準用する特許法第５３条第１項の規定により却下されるべきものである。
　しかしながら、本件の事案に鑑み、この補正が、特許法第１７条の２第４項に規定された事項を目的とするものに該当するものと仮定して、本件補正後の請求項１に記載された発明（以下、「本願補正発明」という。）が特許出願の際独立して特許を受けることができるものであるかについて、以下検討を続けることとする。
　
　（２）引用文献に記載された事項
　原査定の拒絶の理由（平成１９年７月２３日付けの最後の拒絶理由通知）において引用文献１として引用された実願平４−６０４４６号（実開平６−２３５８１号）のＣＤ−ＲＯＭ（以下、「引用例１」という。）には、図面とともに、以下の事項が記載されている。
　
（ア）「【０００４】
【課題を解決するための手段】
　遊技によって獲得した景品玉を返却する返却装置および貯留装置を備えたパチンコ島台において、
　該パチンコ島台端部に移動可能に形成した貯留用バケットを形成し、
　前記貯留用バケットに玉の補給、回収口を形成し、
　該貯留用バケットの仮設箇所に方向転換する回転体を設け、
　島台端部および側面の二方向に開閉扉を設け、位置移動を選択自在としたこと
を特徴とするものである。
　　　【０００５】
【作用】
　本考案の作用を説明する。通常の玉の返却状態は、遊技客の獲得した景品玉をカウンタ−装置Ｂによって計数後島内に返却されると回収樋３０に流送され、段差部分を飛び越えて回収樋３０A に流下し、島台Ａ中央の貯留タンクＣに流動貯留される。貯留タンクＣが満量になると流下方向とは逆に回収樋３０A 上にも堆積され、さらに玉の返却が続くと回収樋３０A の始端に開設された開口部より円筒状に垂下形成した玉落下管３２を介して貯留用バケット１０内へ落下貯留される。
　　　【０００６】
　貯留用バケット１０内の収容玉量は、貯留タンクＣ内の玉量に応じて常時補助用に貯留され、例えば貯留タンクＣ内が定量以下となった場合、貯留タンクＣ内に設けた玉量センサ−（図示省略）によって揚送機Ｈに信号指令がされ、揚送ロ−ラ−２０が駆動し補給開始するよう形成される。
　また閉店時等に返却玉が集中した場合、回収樋３０A 下面に設けたセンサ−Ｆによって玉量は検知され、定位置（満タン）まで玉が貯留されると島台Ａ端部に設けた表示装置６によって返却不能表示する。店員は制御弁Ｇと貯留用バケット１０の下端に設けた玉出口１２の開閉弁１３を手動で閉塞し、貯留用バケット１０を交換するが、カウンタ−装置Ｂ前面は、景品玉返却による客列の為、開閉扉４箇所は使用不可能状態である。従って側面パチンコ機１下方腰板部３位置の開閉扉５を開放し、貯留用バケツト１０の入替が早急に可能である。
　尚営業時は、遊技客によってパチンコ機１下部に設けた開閉扉５側は使用不可能状態の為、カウンタ−装置Ｂ下方の開閉扉４によって貯留用バケット１０を取り出す等、ホ−ルの状況に対応して位置方向が選択出来、さらに重量のある貯留用バケット１０の取出を回転板１７によって容易とするものである。
　　　【０００７】
【実施例】
  本考案の実施例を説明する。図２は、パチンコ機１を並列した島台Ａ平面略図を示す。島台Ａ端部にカウンタ−装置Ｂを設け、島台Ａ中央に貯留タンクＣと図示しない玉磨揚送装置が各々配設されている。また、島台Ａ下方には、本考案に係る返却玉補助装置２が構成されている。
　　　【０００８】
　返却玉補助装置２を大別すると、貯留用バケット１０とカウンタ−装置Ｂと回収樋３０、３０A とで構成される。
　まず貯留用バケット１０から詳述する。
  島台Ａ端部下方に、略矩形の貯留用バケット１０を形成する。貯留用バケット１０の上部には、玉入口１１を開設し傾斜を設けた底部の一端側に揚送機Ｈ用の玉出口１２を開設する。玉出口１２の外壁部には、貯留用バケット１０内が玉量満タンの際、手動で閉塞する開閉弁１３が設けられており、該玉出口１２の上部には貯留玉が円滑に玉導入部に誘導するための圧抜棚１４を突設する。本実施例は１枚棚で形成するが適宜数段状に斜設しても良い。
　また、貯留用バケット１０の両側面には、移動用把手１５（形状限定なし）を形成し底裏面には、複数のキャスタ−１６が設けられている。」
（イ）「【００１０】
　Ａ側に常設する装置として、前記貯留用バケット１０に隣接して揚送機Ｈを形成する。貯留用バケット１０に設けた玉出口１２と揚送機Ｈの揚送機導入部１９とを着脱自在に形成し、貯留用バケット１０を定位置にセットすると玉流動樋が水平に形成される。また、揚送機Ｈの一例を示せば、揚送機導入部１９に連通して揚送ロ−ラ−２０が形成され、該揚送ロ−ラ−２０には、パチンコ玉径大の孔を複数設けた玉導入溝（玉列は限定しない）を形成し、該揚送ロ−ラ−２０から後述する回収樋３０A の高さで支柱を立設し、回収樋３０A 内に支柱終端の揚送玉出口２１が臨むよう形成する。尚支柱高さが自在に伸縮調整出来るよう形成しても良い。
　　　【００１１】
  つぎにアウト玉および客より返却された玉は、回収樋３０、３０A で回収される。さらに詳述すれば島台Ａ端部に設けたカウンタ−装置Ｂの返却玉出口３１より島台Ａ中央の貯留タンクＣ間に、回収樋３０．３０A を段差を設けた二段状に形成する。まず回収樋３０は、カウンタ−装置Ｂの返却玉出口３１から前記貯留用バケット１０の玉入口１１上部位置までの誘導部として形成し、該回収樋３０の終端部より適宜段差を設けて落下する回収樋３０A を略連通形成し、終端は貯留タンクＣまで敷設する。更に回収樋３０A の始端部を詳述すると、回収樋３０A の始端部に開口部を開設し、該開口部に制御弁Ｇを開閉自在に形成する。尚開口部の下端に円筒状の玉落下管３２を垂下形成し、貯留用バケット１０を定位置に設置すると、玉落下管３２は玉入口１１の上部に遊間を有した位置で開口状態となる。尚玉入口１１の開口幅を玉落下管３２より広口とすることで玉こぼれ等を防止可能である。尚回収樋３０A の始端適宜箇所（検知可能位置）に貯留用バケット１０内の玉量を検知するセンサ−Ｆを設け、例えば貯留用バケット１０内の玉量が満タンとなった場合、センサ−Ｆが感知し、島台Ａに設けた表示装置６に信号指令がされ満タン表示する。その表示装置６に基づき手動で制御弁Ｇおよび貯留用バケット１０の下端に設けた玉出口１２の開閉弁１３を手動で閉塞し貯留用バケット１０の交換をする（自動制御としても良い）。」
　
　また、図１として、並列された複数のパチンコ機を備えるパチンコ島台と、客が景品玉を返却するカウンタ−装置Ｂから回収樋３０，３０Aが島台の中央部へ延設され、上流部に貯留用バケット１０が配設され下流部に貯留タンクＣが配設された全体略図が、図２、３として貯留用バケット１０の拡大略図が、そして図５には、補助タンクの従来技術が示されている。
　
　以上、（ア）、（イ）の記載、および図面を総合すると、引用例１には、
「１　遊技によって獲得した景品玉を返却する返却装置および貯留装置を備えたパチンコ島台において、
　２　パチンコ機１を並列した島台Ａの端部にカウンタ−装置Ｂを設け、島台Ａ中央に貯留タンクＣと図示しない玉磨揚送装置が配設されており、
　３　遊技客の獲得した景品玉がカウンタ−装置Ｂによって計数後島内に返却されると、玉は回収樋３０に流送され、段差部分を飛び越えて回収樋３０A に流下し、島台Ａ中央の貯留タンクＣに流動貯留され、
　４　回収樋３０と３０Aは段差部分を備え、回収樋３０Aの段差部分の始端に開口部が設けられており、
　５　パチンコ玉の一部は前記開口部から脱落して、前記開口部の下方に設置された貯留用バケット１０に貯留され、
　６　貯留用バケット１０には、底部に貯留されたパチンコ玉を外部へ流出させる玉出口１２が設けられており、
　７　該玉出口１２から流出したパチンコ玉を前記開口部の下流の位置まで上昇させ、回収樋３０A内まで運ぶ、揚送玉出口２１を備えた支柱および揚送機Ｈ、
　８　からなるパチンコ島台」
　の発明が開示されていると認めることができる。
（以下、この発明を「引用発明」という。）
　
　（３）対比
　引用発明の「貯留タンクＣ」、「貯留用バケット１０」および「回収樋３０、３０A」は、それぞれ本願補正発明の「貯留タンク」、「サブタンク」および「回収経路」に相当することは明らかである。
　したがって、引用発明の「遊技によって獲得した景品玉を返却する返却装置および貯留装置を備えたパチンコ島台において、パチンコ機１を並列した島台Ａの端部にカウンタ−装置Ｂを設け、島台Ａ中央に貯留タンクＣと図示しない玉磨揚送装置が配設されており、遊技客の獲得した景品玉がカウンタ−装置Ｂによって計数後島内に返却されると、玉は回収樋３０に流送され、段差部分を飛び越えて回収樋３０A に流下し、島台Ａ中央の貯留タンクＣに流動貯留され」るものは、本願補正発明の「列設された複数のパチンコ機を備えるパチンコ島台にて使用されるパチンコ玉を貯留する貯留タンクと、外部から受け入れたパチンコ玉を転動させて前記貯留タンクに導く回収経路と、を備えたことにより、パチンコ玉を前記貯留タンクに回収する玉回収システム」に相当するといえる。
　そして、引用発明の回収樋３０Aに設けられた「開口部」は、回収経路上を転動されるパチンコ玉の一部を、当該回収経路から脱落させる、という意味において本願補正発明の「玉抜き口」に対応する。
　また、引用発明の貯留用バケット１０に貯留されるパチンコ玉は、当該バケットの底面で支持されているから、引用発明は、「前記サブタンクは、該サブタンク内の下方にて該サブタンクに貯留されるパチンコ玉を支える支持面を備え」ている点で本願補正発明と共通する。
　さらに、引用発明の貯留用バケット１０に設けられた「玉出口１２」は、当該バケットの底面で誘導されたパチンコ玉を、当該バケットの外部へ流出させるためのものであり、「揚送機Ｈ」は、前記玉出口から流出したパチンコ玉を前記開口部の下流の位置まで上昇させるものであるから、引用発明の「玉出口１２」および「揚送機Ｈ」は、それぞれ本願補正発明の、サブタンクに穿設された「流出口」、該流出口から流出したパチンコ玉を前記玉抜き口よりも下流側の位置まで上昇させる「揚送機」に相当する。
　さらにまた、引用発明の「揚送玉出口２１を備えた支柱」は、揚送機Ｈによって上昇されたパチンコ玉を、回収樋３０A上において、開口部よりも下流側の位置に誘導する経路なのであるから、本願補正発明の誘導経路と同じ構成であるか否かは別として、「該揚送機によって上昇されたパチンコ玉を、前記回収経路上において、前記玉抜き口よりも下流側の位置に誘導する経路」に対応するということができる。
　
　以上のことから、両者は、
　＜一致点＞
「列設された複数のパチンコ機を備えるパチンコ島台にて使用されるパチンコ玉を貯留する貯留タンクと、外部から受け入れたパチンコ玉を転動させて前記貯留タンクに導く回収経路と、を備えたことにより、パチンコ玉を前記貯留タンクに回収する玉回収システムにおいて、
　前記回収経路には、該回収経路上を転動されるパチンコ玉の一部を、当該回収経路から脱落させる玉抜き口を形成し、更に、
　前記回収経路の下方に設置され、前記玉抜き口から脱落したパチンコ玉を貯留するサブタンクを備え、
　前記サブタンクは、該サブタンク内の下方にて該サブタンクに貯留されるパチンコ玉を支える支持面を備え、
　前記回収経路は、前記貯留タンクに近い側ほど低くなるように傾斜されており、
　前記サブタンクに貯留されたパチンコ玉を、前記回収経路まで運搬する運搬手段
　を更に備え、
　前記運搬手段が、
　前記サブタンクに穿設された穴であって、前記貯留タンク方向へ誘導されたパチンコ玉を当該サブタンクの外部へ流出させる流出口と、
　該流出口から流出したパチンコ玉を少なくとも、前記回収経路上において、前記玉抜き口よりも下流側の位置まで、上昇させる揚送機と、
　該揚送機によって上昇されたパチンコ玉を、前記回収経路上において、前記玉抜き口よりも下流側の位置に誘導する経路と、
　を備えた、玉回収システム。」
　である点で一致し、以下の点で相違している。
　
　＜相違点１＞
　本願補正発明は、回収経路に、該回収経路上を転動されるパチンコ玉の一部を、当該回収経路から脱落させる玉抜き口を複数形成しているのに対し、
　引用発明は、パチンコ玉の一部を回収樋３０A（回収経路）から脱落させる開口部（玉抜き口）を設けた点では共通するものの、本願補正発明のような複数の玉抜き口を形成したものではない点
　＜相違点２＞
　本願補正発明は、サブタンク内の下方にて貯留されるパチンコ玉を支える支持面が、貯留タンクに近い側ほど低くなるように傾斜しているのに対し、
　引用例１には、貯留用バケット１０の底面について特段記載されていない点
　＜相違点３＞
　本願補正発明は、揚送機によって上昇されたパチンコ玉を回収経路に合流させる手段として、揚送機の排出口から流れ出たパチンコ玉を受け止める受け板と、該受け板により受け止められたパチンコ玉を前記回収経路に向かって転動させる玉通路とから構成される誘導経路、を備えているのに対し、
　引用例１には、上記事項は記載されていない点
　
　（４）判断
　＜相違点１＞について
　パチンコ玉を転動させる経路（樋）に、パチンコ玉の一部を当該経路から脱落させる穴を複数設けたものは、原査定の拒絶理由において引用文献２として示した実願平５−１４３６９号（実開平６−７４１８７号）のＣＤ−ＲＯＭ（玉誘導路板３０に設けられた玉落下孔３１参照）や、当審が通知した審尋において引用文献３として示した特公平６−６１９３号公報（樋４０，４５、補助ドブ１６等に設けられた孔４１参照）に記載されているように周知なものである。
　そして、引用発明における開口部は、パチンコ玉の一部を当該経路から脱落させるためのものであるから、当該開口部を本願補正発明のような回収経路から脱落させる玉抜き口を複数形成したものに換えることは、周知技術から当業者が容易に想到できたと認められる。
　＜相違点２＞について
　パチンコ玉を貯留するタンクにおいて、パチンコ玉を支持するタンク底面を、パチンコ玉を取り出すための流出口に向かって低くなるように傾斜させて、当該流出口からパチンコ玉を流出し易くすることは、先に示した実開平６−７４１８７号（特に、図２、タンク３，４の底面参照）や特公平６−６１９３号（第１図、タンク２１，２２の底面参照）、さらに引用例１の第５図にもあるように、広く知られた技術である。
　したがって、引用発明において、貯留用バケット１０（サブタンク）の底面（パチンコ玉支持面）を貯留タンクＣに近い側、つまりは、玉出口１２に近い側が低くなるように傾斜させる程度のことは、当業者が適宜なし得た事項にすぎないと認められる。
　＜相違点３＞について
　パチンコ玉が転動して移動している主経路（樋）に対し、当該主経路に補助的な経路を接続し、別の流れからのパチンコ玉を前記補助的な経路に投入して、主経路を流れるパチンコ玉と別の流れからのパチンコ玉を、主経路と補助的な経路の接続部で合流させるような手段は、例を示すまでもなく普通に用いられる手段である。
　また、経路にパチンコ玉を投入するに際して、パチンコ玉の落下に伴う衝撃を緩め、パチンコ玉を拡散させるために、落下するパチンコ玉を受け止める受け板を設けることもまた、周知慣用手段といえるものである。
　そして引用発明は、揚送機によって上昇させたパチンコ玉を揚送玉出口２１（排出口）から直接回収経路に落下させて投入するものと理解されるが、前述したように、主経路に補助的な経路を接続し、別の流れからのパチンコ玉を前記補助的な経路から合流させること、および、パチンコ玉の投入口に受け板を設けることなどは周知な手段であるから、本願補正発明のように、「揚送機の排出口から流れ出たパチンコ玉を受け止める受け板と、該受け板により受け止められたパチンコ玉を前記回収経路に向かって転動させる玉通路とから構成」される誘導経路を設けて、揚送機からのパチンコ玉を回収経路と合流させるようにすることは、当業者が容易に想到できたといわざるを得ない。
　なお、請求人は、平成２０年１月２４日付け手続補正書（理由補充書）、ならびに平成２１年４月２７日付け回答書において、誘導経路が回収経路とが別体に構成されているので、誘導経路の構造のみを変更することにより、どのようなパチンコ島台にも対応できる旨の主張をしているが、誘導経路が回収経路と別体に構成されていることを特定する事項が請求項１に記載されているとは認められず、上記請求人の主張には根拠がない。
　また、仮に本願補正発明の誘導経路が回収経路と別体に構成されるとしても、別体に構成する程度のことは、設計を行う際に適宜選択し得る事項にすぎないものと認められる。
　
　以上のように、本願補正発明は、引用発明および周知技術に基づいて、当業者が容易に発明をすることができたものである。
　したがって、本願補正発明は、特許法第２９条第２項の規定により、その特許出願の際に独立して特許を受けることができない。
　
　（５）本願補正発明についてのまとめ
　以上のとおり、本件補正は、平成１８年法律第５５号附則第３条第１項によりなお従前の例によるとされる同法による改正前の特許法第１７条の２第４項の規定に違反するものであり、また、仮に前記規定に違反しないとしても、平成１８年法律第５５号附則第３条第１項によりなお従前の例によるとされる同法による改正前の特許法第１７条の２第５項で準用する同法第１２６条第５項の規定に違反するものであるから、特許法第１５９条第１項の規定に置いて読み替えて準用する特許法第５３条第１項の規定により却下すべきものである。
　
　
３．本願発明について
　（１）本願発明及び引用文献に記載された発明
　平成２０年１月２４日付けの手続補正は上記のとおり却下されたので、請求項に係る発明は、平成１９年６月２５日付け手続補正書により補正された特許請求の範囲に記載されたとおりのものである。
　そして、その請求項により特定される発明は次のとおりである。
　
「【請求項１】　列設された複数のパチンコ機を備えるパチンコ島台にて使用されるパチンコ玉を貯留する貯留タンクと、外部から受け入れたパチンコ玉を転動させて前記貯留タンクに導く回収経路と、を備えたことにより、パチンコ玉を前記貯留タンクに回収する玉回収システムにおいて、
　前記回収経路には、該回収経路上を転動されるパチンコ玉の一部を、当該回収経路から脱落させる玉抜き口を複数形成し、更に、
　前記回収経路の下方に設置され、前記玉抜き口から脱落したパチンコ玉を貯留するサブタンクを備え、
　前記サブタンクは、該サブタンク内の下方にて該サブタンクに貯留されるパチンコ玉を支えると共に、前記貯留タンクに近い側ほど低くなるように傾斜された支持面を備え、
　前記回収経路は、前記貯留タンクに近い側ほど低くなるように傾斜されている
　ことを特徴とする玉回収システム。
　【請求項２】　請求項１に記載の玉回収システムにおいて、
　前記サブタンクに貯留されたパチンコ玉を、前記回収経路まで運搬する運搬手段
　を更に備え、
　前記運搬手段が、
　前記サブタンクに穿設された穴であって、前記支持面によって前記貯留タンク方向へ誘導されたパチンコ玉を当該サブタンクの外部へ流出させる流出口と、
　該流出口から流出したパチンコ玉を少なくとも、前記回収経路上において、前記玉抜き口よりも下流側の位置まで、上昇させる揚送機と、
　該揚送機によって上昇されたパチンコ玉を、前記回収経路上において、前記玉抜き口よりも下流側の位置に誘導する誘導経路と、
　を備えたことを特徴とする玉回収システム。
　【請求項３】　請求項１または請求項２に記載の玉回収システムにおいて、
　前記貯留タンクに貯留されたパチンコ玉の量を検出する玉量センサと、
　前記回収経路上において、前記玉抜き口よりも下流側に位置され、外部の指令に応じて開閉し、閉じたときには前記計数器から前記貯留タンクに向かって当該回収経路上を転動されるパチンコ玉の流れを遮断する開閉手段と、
　前記玉量センサによって検知されたパチンコ玉の量が、所定量よりも多いと判定すると、前記開閉手段を閉じさせるための指令を発する制御手段と、
　を更に備えたことを特徴とする玉回収システム。
　【請求項４】　列設された複数のパチンコ機を備えるパチンコ島台にて使用されるパチンコ玉を貯留する貯留タンクにパチンコ玉を回収する回収システムにおいて、
　上記回収システムは、パチンコ玉が転動し、且つ該転動したパチンコ玉の一部を脱落させる玉抜き口を両側面に複数形成した第１回収経路と、
　前記第１回収経路の下方に設置され、前記玉抜き口から脱落したパチンコ玉を貯留するサブタンクを備え、
　前記サブタンクは、該サブタンク内の下方にて該サブタンクに貯留されるパチンコ玉を支える支持面と、該サブタンク内に貯留されたパチンコ玉を外部に流出させる流出口を備え、
　前記支持面は、前記流出口に近い側ほど低くなるように傾斜されており、
　前記第１回収経路は、前記支持面と同じ方向に傾斜されており、
　前記流出口から流出されたパチンコ玉を、前記貯留タンクに導く第２回収経路へ誘導する
　ことを特徴とする玉回収システム。」
　
　一方、原査定の拒絶の理由に引用された実願平４−６０４４６号（実開平６−２３５８１号）のＣＤ−ＲＯＭ号（引用例１）に記載された発明（引用発明）は、前記「２．（２）」に記載したとおりである。
　
　（２）対比・判断
　請求項２に記載された発明（以下、「本願発明」という。）は、前記２．で検討した本願補正発明から「前記誘導経路は、前記揚送機の排出口から流れ出たパチンコ玉を受け止める受け板と、該受け板により受け止められたパチンコ玉を前記回収経路に向かって転動させる玉通路とから構成される」という技術事項を除いたものである。
　そうすると、本願発明の構成要件を全て含み、さらに他の構成要件を付加したものに相当する本願補正発明が、前記２．（４）に記載したとおり、引用発明及び周知技術に基づいて当業者が容易に発明をすることができたものであるから、本願発明も、同様の理由により、当業者が容易に発明をすることができたものである。
　
　また、請求項１に記載された発明も念のため検討する。
　請求項１に記載された発明（以下、「請求項１発明」という。）と引用発明を対比すると、両者は、
　＜相違点１＞
　請求項１発明は、回収経路に、該回収経路上を転動されるパチンコ玉の一部を、当該回収経路から脱落させる玉抜き口を複数形成しているのに対し、
　引用発明は、パチンコ玉の一部を回収樋３０A（回収経路）から脱落させる開口部（玉抜き口）を設けた点では共通するものの、請求項１発明のような複数の玉抜き口を形成したものではない点
　＜相違点２＞
　請求項１発明は、サブタンク内の下方にて貯留されるパチンコ玉を支える支持面が、貯留タンクに近い側ほど低くなるように傾斜しているのに対し、
　引用例１には、貯留用バケット１０の底面について特段の記載がない点
　で相違する。
　しかしながら、前記２．（４）で説示したように、上記相違点１および２については周知技術に基づいて当業者が容易に想到できたものである。
　
　（３）むすび
　以上のとおり、請求項１に記載された発明及び請求項２に記載された発明は、引用発明および周知技術に基づいて当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。